(57)【要約】【課題】多チャンネルの符号化音声データを入力し、当該音声データの再生速度を変換して多チャンネルの符号化音声データを出力する話速変換装置を実現する。【解決手段】話速変換装置（１０）は、入力された多チャンネルの符号化音声データについて復号処理を行い、多チャンネルの非符号化音声データを生成する復号部（１１）と、復号部（１１）によって生成された非符号化音声データについて再生速度変換処理を行い、多チャンネルの非符号化音声データを生成する再生速度変換部（１２）と、再生速度変換部（１２）によって生成された非符号化音声データについて符号化処理を行い、多チャンネルの符号化音声データを生成する符号化部（１３）とを備え、符号化部（１３）によって生成された符号化音声データを出力する。【選択図】図１
2005257877.tif 000002
【特許請求の範囲】
【請求項１】
多チャンネルの符号化音声データを入力し、当該符号化音声データの再生速度を変換する話速変換装置であって、
前記符号化音声データについて復号処理を行い、多チャンネルの非符号化音声データを生成する復号部と、
前記復号部によって生成された非符号化音声データについて再生速度変換処理を行い、多チャンネルの非符号化音声データを生成する再生速度変換部と、
与えられた多チャンネルの非符号化音声データについて符号化処理を行い、多チャンネルの符号化音声データを生成する符号化部とを備え、
前記符号化部は、前記再生速度変換部によって生成された非符号化音声データについて符号化処理を行うものであり、
前記符号化部によって生成された符号化音声データを出力する
ことを特徴とする話速変換装置。
【請求項２】
請求項１に記載の話速変換装置において、
当該話速変換装置への入力として前記再生速度変換部によって生成された非符号化音声データを選択する入力選択部と、
当該話速変換装置からの出力として前記符号化部によって生成された符号化音声データを選択する出力選択部とを備えた
ことを特徴とする話速変換装置。
【請求項３】
請求項１に記載の話速変換装置において、
前記符号化部は、当該話速変換装置に入力される符号化音声データに係る符号化方式とは異なる符号化方式で符号化処理を行う
ことを特徴とする話速変換装置。
【請求項４】
多チャンネルの符号化音声データを入力し、当該符号化音声データの再生速度を変換する話速変換装置であって、
前記符号化音声データについて復号処理を行い、非符号化音声データを生成する復号部と、
前記復号部によって生成された非符号化音声データについて再生速度変換処理を行い、非符号化音声データを生成する第１の再生速度変換部と、
前記符号化音声データについて再生速度変換処理を行い、多チャンネルの符号化音声データを生成する第２の再生速度変換部と、
前記第１の再生速度変換部における再生速度変換処理と前記第２の再生速度変換部における再生速度変換処理との同期をとる同期制御部とを備え、
前記第２の再生速度変換部によって生成された符号化音声データを出力する
ことを特徴とする話速変換装置。
【請求項５】
請求項４に記載の話速変換装置において、
前記第２の再生速度変換部は、再生速度を速めるとき、当該話速変換装置に入力された符号化音声データをフレーム単位で間引いて出力する一方、再生速度を遅らせるとき、当該話速変換装置に入力された符号化音声データをフレーム単位で繰り返して出力する
ことを特徴とする話速変換装置。
【発明の詳細な説明】
【技術分野】
【０００１】
本発明は、記録された音声信号の再生速度を変換する話速変換装置に関し、特に、多チャンネルの符号化音声データの話速変換技術に属する。
【背景技術】
【０００２】
フレームごとに符号化された音声データであるビットストリームを再生する従来の音声再生装置の中には、再生速度を速めたりまたは遅らせたりする話速変換装置を備えたものがある。一般に、話速変換装置は、再生速度変換後の音声データとして非符号化音声データであるＰＣＭ（Pulse Code Modulation）データを出力する（たとえば、特許文献１参照）。話速変換は、たとえば、記録された映像音声データを早送り再生する、いわゆる追いかけ再生のときにしばしば行われる。
【特許文献１】特開平１１―１９４７９６号公報（第９頁、第１図）
【発明の開示】
【発明が解決しようとする課題】
【０００３】
音声再生装置にはＰＣＭデータおよびビットストリームの２系統の出力を持つものがある。ＰＣＭデータはチャンネルごとに出力ラインを必要とするのに対して、ビットストリームは１本の出力ラインに複数のチャンネルを重畳することができる。このため、一般に、ＰＣＭデータはステレオ、すなわち、２チャンネルで出力されるのに対して、ビットストリームは多チャンネル（たとえば、５．１ｃｈ）で出力することができる。したがって、音声再生装置から出力された多チャンネルのビットストリームを再生することによって、オーディオを多チャンネルで聴くことができる。
【０００４】
従来の話速変換装置は、上述したように再生速度変換処理を施した音声データとして２チャンネルのＰＣＭ出力を行うが、多チャンネルのビットストリーム出力を行わない。このため、音声再生装置から出力される多チャンネルのビットストリームを再生している場合において、話速変換を実行すると、出力系統が２チャンネルのＰＣＭに切り替わってしまう。すなわち、話速変換を実行すると、再生しているオーディオのチャンネル数が落ちてしまう。
【０００５】
現在の地上アナログ放送では音声信号はステレオ２チャンネルであるが、今後、地上デジタル放送の普及に伴って音声信号が多チャンネル化していくことが予想される。したがって、今後、話速変換装置にも、多チャンネルの符号化音声データの出力が要求されることが予想される。
【０００６】
上記問題に鑑み、本発明は、多チャンネルの符号化音声データを入力し、当該音声データの再生速度を変換して多チャンネルの符号化音声データを出力する話速変換装置を実現することを課題とする。
【課題を解決するための手段】
【０００７】
上記課題を解決するために本発明が講じた手段は、多チャンネルの符号化音声データを入力し、当該符号化音声データの再生速度を変換する話速変換装置として、前記符号化音声データについて復号処理を行い、多チャンネルの非符号化音声データを生成する復号部と、前記復号部によって生成された非符号化音声データについて再生速度変換処理を行い、多チャンネルの非符号化音声データを生成する再生速度変換部と、与えられた多チャンネルの非符号化音声データについて符号化処理を行い、多チャンネルの符号化音声データを生成する符号化部とを備え、前記符号化部によって生成された符号化音声データを出力するものとする。ここで、前記符号化部は、前記再生速度変換部によって生成された非符号化音声データについて符号化処理を行うものとする。
【０００８】
これによると、当該話速変換装置に入力された多チャンネルの符号化音声データは復号部によって復号され、多チャンネルの非符号化音声データが生成される。当該非符号化音声データは再生速度変換部によって再生速度の変換が行われる。そして、再生速度が変換された非符号化音声データは符号化部によって符号化され、多チャンネルの符号化音声データが生成される。これにより、当該話速変換装置から、速度変換された多チャンネルの符号化音声データが出力される。
【０００９】
上記話速変換装置は、当該話速変換装置への入力として前記再生速度変換部によって生成された非符号化音声データを選択する入力選択部と、当該話速変換装置からの出力として前記符号化部によって生成された符号化音声データを選択する出力選択部とを備えていることが好ましい。
【００１０】
これによると、符号化部の入力元および出力先が選択される。したがって、ＤＶＤレコーダなどの映像音声記録再生装置に備えられた符号化部を、当該話速変換装置の符号化部として用いることができる。
【００１１】
また、好ましくは、前記符号化部は、当該話速変換装置に入力される符号化音声データに係る符号化方式とは異なる符号化方式で符号化処理を行うものとする。
【００１２】
また、本発明が講じた手段は、多チャンネルの符号化音声データを入力し、当該符号化音声データの再生速度を変換する話速変換装置として、前記符号化音声データについて復号処理を行い、非符号化音声データを生成する復号部と、前記復号部によって生成された非符号化音声データについて再生速度変換処理を行い、非符号化音声データを生成する第１の再生速度変換部と、前記符号化音声データについて再生速度変換処理を行い、多チャンネルの符号化音声データを生成する第２の再生速度変換部と、前記第１の再生速度変換部における再生速度変換処理と前記第２の再生速度変換部における再生速度変換処理との同期をとる同期制御部とを備え、前記第２の再生速度変換部によって生成された符号化音声データを出力するものとする。
【００１３】
これによると、当該話速変換装置に入力された多チャンネルの符号化音声データは復号部によって復号され、非符号化音声データが生成される。当該非符号化音声データは第１の再生速度変換部によって再生速度の変換が行われる。一方、当該話速変換装置に入力された多チャンネルの符号化音声データは第２の再生速度変換部によって再生速度の変換が行われ、多チャンネルの符号化音声データが生成される。そして、第２の再生速度変換部によって生成された多チャンネルの符号化音声データが、当該話速変換装置の出力となる。ここで、第１および第２の再生速度変換部は、同期制御部の制御によって同期しながら再生速度変換処理を行うため、当該話速変換装置の入出力バッファが破綻することはない。
【００１４】
具体的には、前記第２の再生速度変換部は、再生速度を速めるとき、当該話速変換装置に入力された符号化音声データをフレーム単位で間引いて出力する一方、再生速度を遅らせるとき、当該話速変換装置に入力された符号化音声デー当該時間差をタをフレーム単位で繰り返して出力するものとする。
【発明の効果】
【００１５】
以上のように、本発明によると、チャンネル数を落とすことなく、再生速度変換処理が施された符号化音声データが出力される。これにより、オーディオを多チャンネルで聴いている場合において、速度変換を実行しても、そのまま多チャンネルでオーディオを聴き続けることができる。
【発明を実施するための最良の形態】
【００１６】
以下、本発明を実施するための最良の形態について、図面を参照しながら説明する。
【００１７】
（第１の実施形態）
図１は、本発明の第１の実施形態に係る話速変換装置の構成を示す。本実施形態に係る話速変換装置１０は、復号部１１、ＰＣＭ速度変換部１２および符号化部１３を備えている。
【００１８】
復号部１１は、多チャンネル（たとえば、５．１ｃｈ）の符号化音声データとしてビットストリームを入力し、当該ビットストリームについて復号処理を施し、多チャンネルの非符号化音声データとしてＰＣＭデータを出力する。復号部１１に入力されるビットストリームは、たとえば、ＡＣ−３（商標）、ＭＰＥＧ（Moving Picture Experts Group）、ＤＴＳ（登録商標）およびＤｏｌｂｙＤｉｇｉｔａｌ（登録商標）などの符号化方式で生成されたものである。
【００１９】
ＰＣＭ速度変換部１２は、復号部１１によって生成されたＰＣＭデータについて、高速再生または低速再生への再生速度の変換処理を行い、多チャンネルの非符号化音声データとしてＰＣＭデータを出力する。ＰＣＭ速度変換部１２は、再生速度変換部に相当する。なお、話速変換装置１０から２チャンネルのＰＣＭデータを出力する場合には、ＰＣＭ速度変換部１２から出力された多チャンネルのＰＣＭデータを２チャンネルに変換してから出力するとよい。
【００２０】
符号化部１３は、ＰＣＭ速度変換部１２によって生成されたＰＣＭデータについて符号化処理を行い、多チャンネルの符号化音声データとしてビットストリームを出力する。符号化部１３から出力されたビットストリームは、話速変換装置１０の出力となる。なお、当該符号化方式は、話速変換装置１０に入力される符号化音声データに係る符号化方式と同じであってもよいし、異なっていてもよい。
【００２１】
以上、本実施形態によると、話速変換装置から多チャンネルの符号化音声データが出力される。これにより、多チャンネルの符号化音声データを再生している場合において、話速変換を実行したとき、出力系統が２チャンネルのＰＣＭに切り替わることなく、多チャンネルのままオーディオを聴き続けることができる。
【００２２】
なお、話速変換装置１０の入力として多チャンネルの非符号化音声データが与えられる場合には、符号化部１１は特に省略してもよい。
【００２３】
（第２の実施形態）
第１の実施形態では、ＰＣＭ速度変換部１２から出力されるＰＣＭデータを符号化するための専用の符号化部１３を設けた。しかし、ＤＶＤレコーダなどの映像音声記録再生装置には、ＰＣＭデータの符号化処理を行う符号化部が既に備えられている。そこで、映像音声記録再生装置における符号化部を話速変換装置において使用することを考える。
【００２４】
図２は、本発明の第２の実施形態に係る話速変換装置の構成を示す。本実施形態に係る話速変換装置２０は、復号部１１、ＰＣＭ速度変換部１２、符号化部１３、入力選択部２１および出力選択部２２を備えている。復号部１１、ＰＣＭ速度変換部１２および符号化部１３は、第１の実施形態で説明したとおりである。なお、符号化部１３は、映像音声記録再生装置（不図示）における符号化部でもある。
【００２５】
入力選択部２１は、符号化部１３への入力を選択する。具体的には、符号化部１３を話速変換処理に用いる場合には、入力選択部２２は、ＰＣＭ速度変換部１２から出力されるＰＣＭデータを選択する。一方、符号化部１３を音声記録処理に用いる場合には、入力選択部２２は、映像音声記録再生装置に与えられるＰＣＭデータを選択する。
【００２６】
出力選択部２２は、符号化部１３から出力されるビットストリームの出力先を選択する。具体的には、符号化部１３を話速変換処理に用いる場合には、出力選択部２２は、話速変換装置２０の出力を選択する。一方、符号化部１３を音声記録処理に用いる場合には、出力選択部２２は、記録装置（不図示）を選択する。
【００２７】
以上、本実施形態によると、映像音声記録再生装置と話速変換装置との間で符号化部が共有される。これにより、既に符号化部を備えている映像音声記録装置において、別途新たに符号化部を設けることなく、すなわち、大幅なコスト増を招くことなく、多チャンネルの符号化音声データを出力する話速変換装置を実現することができる。
【００２８】
（第３の実施形態）
図３は、本発明の第３の実施形態に係る話速変換装置の構成を示す。本実施形態に係る話速変換装置３０は、復号部３１、ＰＣＭ速度変換部３２、ビットストリーム速度変換部３３および同期制御部３４を備えている。
【００２９】
復号部３１は、多チャンネル（たとえば、５．１ｃｈ）の符号化音声データとしてビットストリームを入力し、当該ビットストリームについて復号処理を施し、非符号化音声データとして２チャンネルのＰＣＭデータを出力する。復号部３１に入力されるビットストリームの符号化方式は、第１の実施形態で例示したとおりである。
【００３０】
ＰＣＭ速度変換部３２は、復号部３１によって生成されたＰＣＭデータについて高速再生または低速再生への再生速度の変換処理を行い、非符号化音声データとして２チャンネルのＰＣＭデータを出力する。ＰＣＭ速度変換部３２は、第１の再生速度変換部に相当する。
【００３１】
ビットストリーム速度変換部３３は、復号部３１が入力するビットストリームを入力し、当該ビットストリームについて高速再生または低速再生への再生速度の変換処理を行い、多チャンネルの符号化音声データとしてビットストリームを出力する。具体的には、ビットストリーム速度変換部３３は、高速への変換の場合には、入力したビットストリームをフレーム単位で間引きするかまたはそのまま出力する。一方、ビットストリーム速度変換部３３は、低速への変換の場合には、入力したビットストリームをフレーム単位で繰り返すかまたはそのまま出力する。なお、ビットストリーム速度変換部３３は、第２の再生速度変換部に相当する。
【００３２】
同期制御部３４は、ＰＣＭ速度変換部３２における再生速度変換処理とビットストリーム速度変換部３３における再生速度変換処理との同期をとる。これら再生速度変換処理が同期していないと、入出力バッファが破綻し、話速変換装置３０の動作に支障をきたすおそれがあるからである。具体的には、同期制御部３４は、ＰＣＭ速度変換部３２およびビットストリーム速度変換部３３のそれぞれから時間情報を入力し、両者の処理時間の差が閾値の範囲内にあるか否かを検査する。そして、当該時間差が閾値を超えている場合には、同期制御部３４は、両者の処理時間差を縮めるべく、ＰＣＭ速度変換部３２およびビットストリーム速度変換部３３の少なくとも一方に対して制御を行う。たとえば、ＰＣＭ速度変換部３２における再生速度変換処理の方が時間的に進んでいる場合には、ＰＣＭ速度変換部３２に対して、処理を一時停止するように制御を行う。
【００３３】
以上、本実施形態によると、速度変換処理されたＰＣＭデータについて符号化処理を行う符号化部を設けることなく、話速変換装置から多チャンネルの符号化音声データが出力される。これにより、第１の実施形態よりも構成が簡易になるとともに、コストを低減することができる。
【産業上の利用可能性】
【００３４】
以上のように、本発明に係る話速変換装置は、再生速度変換処理が施された符号化音声データをチャンネル数を落とさずに出力するため、ＤＶＤプレーヤやＤＶＤレコーダなどのＡＶ機器の付加価値を高めるものとして有用である。
【図面の簡単な説明】
【００３５】
【図１】本発明の第１の実施形態に係る話速変換装置の構成図である。
【図２】本発明の第２の実施形態に係る話速変換装置の構成図である。
【図３】本発明の第３の実施形態に係る話速変換装置の構成図である。
【符号の説明】
【００３６】
１０  話速変換装置
１１  復号部
１２  ＰＣＭ速度変換部（再生速度変換部）
１３  符号化部
２０  話速変換装置
２１  入力選択部
２２  出力選択部
３０  話速変換装置
３１  復号部
３２  ＰＣＭ速度変換部（第１の再生速度変換部）
３３  ビットストリーム速度変換部（第２の再生速度変換部）
３４  同期制御部
【図１】
2005257877.tif 000003
【図２】
2005257877.tif 000004
【図３】
2005257877.tif 000005